(57)【要約】      （修正有）【課題】様々な直径のケーブルを、スリーブを介して結合可能にするケーブル・コネクタを提供する。【解決手段】ケーブル・コネクタ１０は、コネクタ本体１２と、ポスト３６と、スリーブ１８を含む。突出部３０がスリーブ内部に一体に成形され、ケーブル４０がスリーブに挿入されスリーブがロック解除位置からロック位置に移行するとき、ケーブルの少なくとも一部がポストのリップ２８と突出部との間で圧縮される。スリーブがロック位置にあるとき、ケーブルの少なくとも一部が、リップのところでポストから押し離されてスリーブに向かい、突出部のところでスリーブから押し離されてポストに向かい、ケーブルのクリンピングが達成される。【選択図】  図２
2004281401.tif 000002
【特許請求の範囲】
【請求項１】
複数の様々な直径のケーブルをケーブル・コネクタに結合することを可能にするケーブル・コネクタにおいて、
コネクタ本体と、
固定端で前記コネクタ本体に結合され、前記固定端とは軸方向で反対側に受入端を備えるポストと、
その中で前記複数の様々な直径のケーブルのどれをも受けるように適合された剛性のスリーブとを含み、前記スリーブが前記コネクタ本体に結合されるロック位置、その中で前記ケーブルを受ける後端、および少なくとも部分的に前記スリーブ内部に収納される突出部を有し、したがって、前記スリーブが前記ロック位置にあるとき、前記ケーブルの少なくとも一部が、前記突出部のところで、前記ポストから押し離されて前記スリーブに向かい、また前記スリーブから押し離されて前記ポストに向かうケーブル・コネクタ。
【請求項２】
前記ポストが、前記受入端に成形されたリップを含み、したがって前記スリーブが前記ロック位置にあるとき、前記ケーブルの少なくとも一部が、前記リップのところで前記ポストから押し離されて前記スリーブに向かう請求項１に記載のケーブル・コネクタ。
【請求項３】
前記スリーブの前記突出部が、剛性で変形不可能である請求項１に記載のケーブル・コネクタ。
【請求項４】
前記スリーブの前記突出部が、前記スリーブ内部に一体に成形される請求項１に記載のケーブル・コネクタ。
【請求項５】
前記突出部が、前記スリーブと異なる硬さを有する請求項１に記載のケーブル・コネクタ。
【請求項６】
前記スリーブの前記突出部が、少なくとも部分的に前記スリーブ内部に配置されたＯリングである請求項１に記載のケーブル・コネクタ。
【請求項７】
前記突出部が、前記ポストの前記リップに対し相補的な角をもつ前縁を含む請求項２に記載のケーブル・コネクタ。
【請求項８】
前記突出部が、互いに余角をなす後縁および前縁を含む請求項１に記載のケーブル・コネクタ。
【請求項９】
前記突出部が後縁および前縁を含み、前記ロック位置に移行するとき、前記ポストおよび前記ケーブルの周りに前記スリーブを容易に挿入するために、前記前縁が前記後縁より小さい角度で配置される請求項１に記載のケーブル・コネクタ。
【請求項１０】
前記突出部が後縁を含み、したがって前記ポストと前記後縁の間にクリアランスが設けられて、前記ケーブル・コネクタを前記ポストと前記突出部の前記後縁との間で環境要素から環状に密封すると共に、前記複数の様々な直径のケーブルを納める請求項１に記載のケーブル・コネクタ。
【請求項１１】
複数の様々な直径のケーブルをケーブル・コネクタに結合することを可能にするケーブル・コネクタにおいて、
コネクタ本体と、
固定端で前記コネクタ本体に結合され、前記固定端とは軸方向で反対側に受入端を備え、前記受入端に成形されたリップを備えるポストと、
その中で前記複数の様々な直径のケーブルのいくつかを受けるように適合された剛性のスリーブとを含み、前記スリーブが前記コネクタ本体に結合されるロック位置、前記コネクタ本体に挿入される前端、その中で少なくとも部分的に前記ケーブルを受ける後端、および少なくとも部分的に前記スリーブ内部に収納される突出部を有し、したがって、前記ケーブルが前記スリーブに挿入され、前記スリーブが前記ロック位置に移行するとき、前記ケーブルの少なくとも一部が、前記ポストの前記リップと前記突出部の間で圧縮され、また前記スリーブが前記ロック位置にあるとき、前記ケーブルの少なくとも一部が、前記リップのところで前記ポストから押し離されて前記スリーブに向かい、また前記突出部のところで前記スリーブから押し離されて前記ポストに向かい、前記ケーブルの少なくとも一部が環状に絞られるケーブル・コネクタ。
【請求項１２】
前記スリーブの前記突出部が、少なくとも部分的に前記スリーブ内部に配置されたＯリングである請求項１１に記載のケーブル・コネクタ。
【請求項１３】
前記突出部が、前記ポストの前記リップに対し相補的な角をもつ前縁を含む請求項１１に記載のケーブル・コネクタ。
【請求項１４】
前記突出部が、互いに余角をなす後縁および前縁を含む請求項１１に記載のケーブル・コネクタ。
【請求項１５】
前記突出部が後縁を含み、したがって前記ポストと前記後縁の間にクリアランスが設けられて、前記ケーブル・コネクタを前記ポストと前記突出部の前記後縁との間で環境要素から環状に密封すると共に、前記複数の様々な直径のケーブルを納める請求項１１に記載のケーブル・コネクタ。
【請求項１６】
複数の様々な直径のケーブルをケーブル・コネクタに結合することを可能にするケーブル・コネクタにおいて、
コネクタ本体と、
固定端で前記コネクタ本体に結合され、前記固定端とは軸方向で反対側に受入端を備え、前記受入端に一体に成形された環状リップを備えるポストと、
その中で前記複数の様々な直径のケーブルのいくつかを受けるように適合されたほぼ中空の剛性で変形不可能なスリーブとを含み、前記スリーブが、ロック解除位置、および前記スリーブが少なくとも部分的に前記コネクタ本体内部に配置されるロック位置を有し、前端が前記コネクタ本体に解除可能に結合され、後端がその中で前記ケーブルを受け、剛性の突出部が前記スリーブ内部に一体に成形されまた前縁および後縁を含み、したがって、前記複数の様々な直径のケーブルの１つが前記スリーブに挿入され、前記スリーブが前記ロック解除位置から前記ロック位置に移行するとき、前記ケーブルの少なくとも一部が、前記ポストの前記リップと前記突出部の間で圧縮され、また前記スリーブが前記ロック位置にあるとき、前記ケーブルの少なくとも一部が、前記リップのところで前記ポストから環状に押し離されて前記スリーブに向かい、前記突出部のところで前記スリーブから押し離されて前記ポストに向かい、前記ケーブルが環状に絞られるケーブル・コネクタ。
【請求項１７】
前記突出部の前記前縁が、前記ポストの前記リップに対し相補的な角をもつ前縁を含む請求項１６に記載のケーブル・コネクタ。
【請求項１８】
前記後縁および前記前縁が、互いに余角をなす請求項１６に記載のケーブル・コネクタ。
【請求項１９】
前記ロック位置に移行するとき、前記ポストおよび前記ケーブルの周りに前記スリーブを容易に挿入するために、前記前縁が前記後縁より小さい角度で配置される請求項１６に記載のケーブル・コネクタ。
【請求項２０】
前記リップと前記後縁の間にクリアランスが設けられて、前記ケーブル・コネクタを前記ポストと前記突出部の前記後縁との間で環境要素から環状に密封すると共に、前記複数の様々な直径のケーブルを納める請求項１６に記載のケーブル・コネクタ。
【発明の詳細な説明】
【技術分野】
【０００１】
一般に、本発明はケーブル・コネクタに関し、詳細には、様々な直径をもつ複数のケーブルがケーブル・コネクタに結合することを可能にするユニバーサル・ロッキング・スリーブを備えるケーブル・ドロップ・コネクタに関する。
【背景技術】
【０００２】
現在のケーブル・テレビ、ブロードバンド・インターネットおよび衛星システムは、３つの主要なタイプのケーブルを使用する。一般に「標準」ケーブルと呼ばれるケーブルは、中央導体、中央導体を包む内部誘電体、内部誘電体を囲む箔層、箔を包む編組シールド、および「ジャケット」と呼ばれる外部誘電体を備えている。第２のタイプのケーブルは、「３重シールド」と呼ばれ、中央導体、中央導体を包む内部誘電体、内部誘電体を囲む第１箔層、箔を包む編組シールド、編組シールドを囲む第２箔層、および外部ジャケットから構成される。第３のタイプのケーブルは、「４重シールド」と呼ばれ、中央導体、中央導体を包む内部誘電体、内部誘電体を囲む第１箔層、第１箔層を包む第１編組シールド、第１編組シールドを囲む第２箔層、第２箔層を包む第２編組シールドおよび外部ジャケットを含む。各タイプのケーブルは、複数の箔層および編組シールドがあるので、異なる直径をもち、中央導体に対し様々な程度の無線周波シールドをもたらす。
【０００３】
さらに、２つの主要なケーブル・サイズのシリーズ、すなわちシリーズＲＧ６およびシリーズＲＧ５９が、業界で使用されている。これらの各シリーズが、上で述べた３つのタイプのケーブルを使用する。ケーブルのタイプおよびシリーズがこのように多種多様なので、ケーブル・コネクタの製造業者はすべてのタイプおよびシリーズに合う、様々なサイズの多様なコネクタを製造することが必要とされてきた。
【０００４】
現在の「ユニバーサル」コネクタはすべて、様々なタイプのケーブルを環状に圧縮するために非剛性のロッキング・スリーブが変形することを必要としている。様々な軸方向の圧縮力および様々なケーブル・サイズの下で、薄く弱いプラスチックまたは金属材料を内側に押し込むとき、一様な環状の圧縮を得ることが難しいので、この種のロッキング・スリーブは不利である。したがって、現在の「ユニバーサル」コネクタは、水移動テストおよびケーブル引抜きテストの成績がよくなく、したがって業界ではあまり受け入れられなかった。
【特許文献１】米国特許出願第０９／８５２，３４３号（２００１年５月９日出願）
【０００５】
したがって、すべてのシリーズＲＧ６ケーブルに合う単一のケーブル・コネクタ、およびすべてのシリーズＲＧ５９ケーブルに合う単一のコネクタがあれば、製造、広告、輸送およびコストの点から有利であろう。
【発明の開示】
【発明が解決しようとする課題】
【０００６】
したがって、本発明は、ケーブルを装着する間は圧縮されない剛性のロッキング・スリーブを使用して、３つの異なるタイプのケーブルを受けると共に、様々な直径のケーブルに対する、水移動テストおよびケーブル引抜きテストに合格するユニバーサル・コネクタを提供することを目的とする。
【課題を解決するための手段】
【０００７】
本発明は、複数の様々な直径のケーブルを、ロッキング・スリーブを介してコネクタに結合することを可能にする剛性のロッキング・スリーブを備えるケーブル・コネクタを提供することによって、上記の困難および欠点をなくす。ケーブル・コネクタは、コネクタ本体と、その固定端でコネクタ本体に結合されたポストとを含む。ポストはまた、固定端とは軸方向で反対側に受入端を備え、好ましくは、受入端に一体に成形された環状リップを含む。
【０００８】
スリーブは、その内部に複数の様々な直径のケーブルの１つを受けるように適合されている。スリーブは、ロック解除位置、およびスリーブが少なくとも部分的にコネクタ本体内部に配置されるロック位置を有する。スリーブは、コネクタ本体に挿入される前端、およびその中でケーブルを受ける後端を有する。突出部は少なくとも部分的にスリーブ内部に収納され、好ましくは、スリーブ内に一体に成形され、環状である。別の実施形態では、突出部がスリーブ内部に配置されたＯリングまたは非環状のゴム材料である。突出部は、スリーブと同じ材料で同じ硬さでも、異なる硬さでもよい。
【０００９】
突出部は、ロック解除位置からロック位置に移行する際に、ポストのリップおよびケーブルの周りでスリーブが容易に動作できるように、ポストのリップに対し相補形の前縁を含む。突出部は、前縁に対し余角で成形することができる後縁をさらに含む。ロック位置に移行するとき、ポストおよびケーブルの周りにスリーブを容易に挿入するために、前縁を後縁より小さい角度で配置することもできる。
【００１０】
ロック位置でケーブルを絞ることにより、ケーブル・コネクタをポストと突出部の後縁の間で環境要素から密封すると共に、複数の様々な直径のケーブルを納めるためにリップとスリーブの間にクリアランスを設ける。突出部は、コネクタ本体内でリップから離れて配置され、したがって、ロッキング・スリーブではなく、ケーブルが絞られる。ロッキング・スリーブがロック位置にあるとき、突出部もポストの固定端に向かう位置にくる。
【発明を実施するための最良の形態】
【００１１】
次に、本発明の特徴、態様および利点を、添付の図面を参照して述べる。添付の図面で、同一の参照記号は図全体を通して同じ要素を示す。
【００１２】
図１に、ケーブル・テレビ、衛星放送用パラボラアンテナ、またはブロードバンド・インターネット・ケーブルを本発明のテレビなどの装置で終端させる、好ましくはケーブル・ドロップ・コネクタであるケーブル・コネクタ１０を示す。
【００１３】
コネクタ１０は、２つの主要な構成部品、コネクタ本体１２、および取り外し可能に本体１２に結合された剛性のロッキング・スリーブ１８を含む。本体１２は、細長いほぼ円筒形の、一般に金属製の、好ましくは真ちゅう製の導電部材である。本体１２は、その内部に同軸ケーブルを納める環状カラー１４、およびカラー１４に回転可能に結合されテレビなど外部装置へのコネクタ１０の機械的付属品を提供する環状ナット１６を含む。軸方向にカラー１４へ延びる固定の環状ポスト３６が、カラー１４とナット１６の間に介在する。弾性の密封Ｏリング３８が、密封をもたらすためにカラー１４とナット１６との間でそれらの回転可能な接合部に配置される。ナット１６の一部は、本体１２の付属品を外部装置にねじ込めるように、めねじが切られている。後でさらに詳しく述べるが、ポスト３６およびカラー１４が、図２から４に示すように、挿入された同軸ケーブルの少なくとも１層の箔層４６および編組シールド４８を納めるための環状チャンバを画定する。
【００１４】
ロッキング・スリーブ１８は、好ましくはアセテート樹脂など合成プラスチックの剛性材料から成形されたほぼ円筒形の部材である。図２から４にさらに示すように、ロッキング・スリーブ１８は、ケーブル４０を挿入することができるフレア式後端５４を含む。後端５４の反対側には、カラー１４に挿入可能な前端５６がある。好ましくは、ポスト３６は、ロッキング・スリーブ１８の前端５６に隣接して一体に成形された環状リップ２８を含む。環状リップ２８の機能については、以下でさらに詳細に述べる。
【００１５】
Ｏリング２０が、ロッキング・スリーブ１８の周りに環状に配置されて、環境要素が、カラー１４とロッキング・スリーブ１８との間でコネクタ１０に入るのを防止する。ロッキング・スリーブ１８の前端５６およびカラー１４は、ロッキング・スリーブ１８が本体１２に取外し可能で再取付け可能に接続することを可能にする協働式移動止め構造を含む。さらに、コネクタ１０は、ロッキング・スリーブ１８が、図２および４に示すコネクタ本体１２内部にケーブル４０を緩めた状態で保持するロック解除位置６０から、図３に示すコネクタ本体１２に結合しまたはそれにケーブル４０を固定する、前方のロック位置６２まで、軸方向にナット１６に向かって移動可能に設計されている。
【００１６】
本発明のコネクタ１０は、好ましくは、図２および４に示す、組み立てた状態で供給される。そのような組み立てた状態では、同軸ケーブル４０は、ロッキング・スリーブ１８の後端５４を通り、コネクタ本体１２を通って挿入されている。ロッキング・スリーブ１８が、ケーブル４０を緩めた状態で保持するロック解除位置６０から、軸方向前方のロック位置６２まで移動し、それによってケーブル４０をコネクタ本体１２にロックし、ケーブル４０が引き抜かれるのを防止することができる。同時に、剛性のロッキング・スリーブ１８が、軸方向に圧縮され、または内側に変形される。ただし、ロッキング・スリーブ１８はコネクタ本体１２から取り外すことができ、したがって、ロッキング・スリーブ１８がケーブル４０を摺動した後で、同軸ケーブル４０をコネクタ本体１２の環状カラー１４に直接挿入できることが企図されている。その後、ケーブル４０の周りに配置されたロッキング・スリーブ１８を、本体１２の環状カラー１４に再び取り付けることができ、ロッキング・スリーブ１８は、ロック解除位置６０からロック位置６２まで移動し、ケーブル４０をコネクタ本体１２にロックすることができる。スリーブ１８は、ロック位置６２では、少なくとも部分的にコネクタ本体１２内部に配置される。
【００１７】
図２から４に示すケーブル４０は、中央導体４２、中央導体４２を包む内部誘電体４４、内部誘電体４４を囲む第１箔層４６、第１箔層４６を包む編組シールド４８、編組シールド４８を囲む第２箔層５０、および外部誘電体ジャケット５２から構成される「３重シールド」ケーブルである。「３重シールド」ケーブル４０は例にすぎず、本発明のコネクタ１０は、１層の編組シールドおよび１層の箔層だけを備える標準ケーブルや「４重シールド」ケーブルなど複数の様々な直径のケーブルで動作することを理解されよう。
【００１８】
ケーブル４０を準備する際、中央導体４２を囲む材料の層が取付器で剥がされ、したがって中央導体４２がコネクタ１０にさらに延びる。特定の取付けでは、コネクタ１０に挿入する前に、ジャケット５２を剥がさなくてもよい。編組層、箔層、およびジャケット層もまた、内部誘電体４４から剥がされる。同様に、外部ジャケット５２も、箔層および編組層から剥がすことが好ましい。前述のように、本発明のロッキング・スリーブ１８は、ロッキング・スリーブ１８を介して、複数の様々な直径のケーブル４０をコネクタ１０に結合することを可能にする。
【００１９】
具体的には、ロッキング・スリーブ１８は、コネクタ本体１２に挿入される前端５６、およびその中でケーブル４０を受ける後端５４を有する。図２および４に示すロック解除位置６０において、ロッキング・スリーブ１８の外側に配置され、第１外部環状リング２２と第２外部環状リング２４との間に嵌合するフランジ２６が、コネクタ１０のカラー１４内部に成形される。
【００２０】
本発明にとって基本的なのは、少なくとも部分的にスリーブ１８内部に収納され、好ましくはスリーブ１８内に一体に成形され、それぞれが剛性であるスリーブ１８と同じ材料で成形される突出部３０である。したがって、好ましい実施形態では、スリーブ１８または突出部３０が圧縮されることはなく、したがって、ケーブルだけが環状に一様に絞られる。別の実施形態では、突出部は、図４に示すようにスリーブ１８の内側のくぼみ７０に配置されたＯリング７２である。突出部３０は、スリーブ１８の内側に配置されそれと共に成形された、ゴム材料製または熱成形可塑性材料製とすることもできる。突出部３０は、スリーブ１８と同じ材料で同じ硬さでも、異なる硬さでもよい。突出部３０と一体に成形されたゴムまたはＯリングなど、より軟かい材料が、材料の箔層または編組層を引き裂き切り裂くことなく、ケーブル４０によりよい環状の圧縮をもたらすと同時に、スリーブ１８がロック解除位置６０からロック位置６２へ移行するのを容易にすることが理解されよう。
【００２１】
図２から４に示すように、突出部３０の前縁３２は、好ましくはポスト３６のリップ２８に対し相補的であり、ロック解除位置６０からロック位置６２に移行する際に、ポスト３６のリップ２８およびケーブル４０の周りでスリーブ１８が動作するのを容易にする。ケーブル４０をコネクタ１０に装着する際、ケーブル４０の誘電体層４４と第１箔層４６との間にポスト３６を挿入し、それによって誘電体層４４を第１箔層４６から分離する。突出部３０はさらに後縁３４を含む。図２および３に示すように、前縁３２および後縁３４は、後縁３４とポスト３６の間で、ケーブル４０に環境密封用の絞り点または圧縮点をもたらすと共に、ロック位置６２への移行を容易にするために、互いに余角でまたは任意の角度の組合わせで成形することができる。ロック位置６２に移行するとき、ポスト３６およびケーブル４０の周りにスリーブ１８を容易に挿入するために、前縁３２を４５度より小さい角度で配置することができる。
【００２２】
図３に示すようにスリーブ１８がロック位置６２にあるとき、ケーブル４０を環状に絞ることによって、ポスト３６と突出部３０の後縁３４の間に入り込む環境要素からコネクタ１０を密封すると共に、リップ２８とスリーブ１８との間に、複数の様々な直径のケーブルを納めるために十分なクリアランスが設けられる。さらに突出部３０がコネクタ本体１２内でリップ２８から離れてポスト３６の固定端に向けて軸方向に配置される。スリーブ１８の後縁３４は、好ましくは、４５度の角度に成形され、したがってスリーブ１８がロック位置にあるとき、ケーブルの複数の層が、ポスト３６からリップ２８を越えると共に、突出部３０の後縁３４のところで、ポスト３６から押し離されてスリーブ１８に向かい、スリーブ１８から押し離されてポスト３６に向かい、ポスト３６、スリーブ１８または突出部３０を変形させることなく、ケーブル４０が圧力によって環状に絞られる。
【００２３】
本発明について上記で詳細に述べてきたが、本発明が、本発明の趣旨を逸脱することなく改変できることは、当分野の技術者には明らかであることが明白に理解されよう。本発明の趣旨および範囲を逸脱することなく、形状、設計、または装置の様々な変更を本発明に加えることができる。したがって、上述の記載は、限定的なものではなく例示的なものと考えられるべきであり、本発明の真の範囲は以下の特許請求の範囲で定義される。
【図面の簡単な説明】
【００２４】
【図１】本発明のケーブル・コネクタの透視図である。
【図２】ケーブル装着前の本発明のケーブル・コネクタの図１の視線Ａに沿った切断図である。
【図３】ケーブル装着中の本発明のケーブル・コネクタの図１の視線Ａに沿った切断図である。
【図４】ケーブル装着前の別の実施形態を示す本発明のケーブル・コネクタの図１の視線Ａに沿った切断図である。
【図１】
2004281401.tif 000003
【図２】
2004281401.tif 000004
【図３】
2004281401.tif 000005
【図４】
2004281401.tif 000006